(57)【要約】      （修正有）【課題】蓄電装置に異常が発生した場合に、ユーザにとって有利なタイミングで電力変換装置から蓄電装置を電気的に切り離す制御指令システム及び電力変換装置を提供する。【解決手段】制御指令システム２０は、蓄電装置２、太陽光発電装置１及び電力系統３に接続された電力変換装置１０と通信する通信部２３と、電力変換装置から蓄電装置の異常検出通知を受信した場合に、蓄電装置の異常をユーザに報知する報知部２５と、ユーザの操作を受け付ける操作部２６と、操作部が蓄電装置の停止操作を受け付けると、電力変換装置から蓄電装置を電気的に切り離す指令を電力変換装置に送信するよう制御する制御部２１と、を備える。【選択図】図１
2019118212.tif 000002
【特許請求の範囲】
【請求項１】
蓄電装置、太陽光発電装置、及び電力系統に接続された電力変換装置と通信する通信部と、
前記電力変換装置から前記蓄電装置の異常検出通知を受信した場合に、前記蓄電装置の異常をユーザに報知する報知部と、
ユーザの操作を受け付ける操作部と、
前記操作部が前記蓄電装置の停止操作を受け付けると、前記電力変換装置から前記蓄電装置を電気的に切り離す指令を前記電力変換装置に送信するよう制御する制御部と、を備える、
制御指令システム。
【請求項２】
前記蓄電装置の異常は、前記蓄電装置と前記電力変換装置との間の通信異常である、
請求項１に記載の制御指令システム。
【請求項３】
前記制御部は、前記電力変換装置から前記蓄電装置の異常検出通知を受信してから所定の時間が経過すると、前記操作部が前記蓄電装置の停止操作を受け付けなくても、前記指令を前記電力変換装置に送信するよう制御する、
請求項１に記載の制御指令システム。
【請求項４】
蓄電装置、太陽光発電装置、及び電力系統に接続された電力変換装置であって、
制御指令システムと通信する通信部と、
前記蓄電装置の異常を検出した場合に、前記蓄電装置の異常検出通知を前記制御指令システムに送信するよう制御するとともに、本電力変換装置から前記蓄電装置を電気的に切り離す制御を実行する制御部と、を備える、
電力変換装置。
【請求項５】
前記制御部は、本電力変換装置から前記蓄電装置を電気的に切り離しても、前記太陽光発電装置を利用した運転を実行可能な状態に制御する、
請求項４に記載の電力変換装置。
【発明の詳細な説明】
【技術分野】
【０００１】
本発明は、分散型電源の電力を変換する電力変換装置を操作するための制御指令システム、及び電力変換装置に関する。
【背景技術】
【０００２】
近年、太陽光発電システムと蓄電システムを連携させたシステム（以下、本明細書では創蓄連携システムという）が普及してきている。創蓄連携システムにおいて、太陽光発電システム用のパワーコンディショナと、蓄電システム用のパワーコンディショナを一体化させたパワーステーション（登録商標）と呼ばれる電力変換装置を使用する形態が実用化されている。当該電力変換装置は宅外に設置されることも多いため、当該電力変換装置を操作するための制御指令装置が別に設けられ、当該制御指令装置は当該電力変換装置と有線／無線で接続される。
【先行技術文献】
【特許文献】
【０００３】
【特許文献１】特許第６０２４９２９号公報
【発明の概要】
【発明が解決しようとする課題】
【０００４】
創蓄連携システムにおいて蓄電装置に異常が発生した場合、電力変換装置自身の判断により、電力変換装置から蓄電装置を電気的に切り離す制御が一般的である。蓄電装置の異常の中には、蓄電装置と電力変換装置間の通信異常、比較的緊急性が低い異常もある。例えば、電力使用量がピークの昼間の時間帯において蓄電装置から放電中に、蓄電装置と電力変換装置間に通信異常が発生した場合、電力使用量がピークの時間帯が終わってから蓄電装置を切り離す方がユーザにとって有利である。また、電気料金が安価な深夜の時間帯において蓄電装置を充電中に、蓄電装置と電力変換装置間に通信異常が発生した場合、電気料金が割引されている時間帯が終わってから蓄電装置を切り離す方がユーザにとって有利である。
【０００５】
本発明はこうした状況に鑑みなされたものであり、その目的は、蓄電装置に異常が発生した場合に、ユーザにとって有利なタイミングで電力変換装置から蓄電装置を電気的に切り離すことができる制御指令システム、及び電力変換装置を提供することにある。
【課題を解決するための手段】
【０００６】
上記課題を解決するために、本発明のある態様の制御指令システムは、蓄電装置、太陽光発電装置、及び電力系統に接続された電力変換装置と通信する通信部と、前記電力変換装置から前記蓄電装置の異常検出通知を受信した場合に、前記蓄電装置の異常をユーザに報知する報知部と、ユーザの操作を受け付ける操作部と、前記操作部が前記蓄電装置の停止操作を受け付けると、前記電力変換装置から前記蓄電装置を電気的に切り離す指令を前記電力変換装置に送信するよう制御する制御部と、を備える。
【発明の効果】
【０００７】
本発明によれば、蓄電装置に異常が発生した場合に、ユーザにとって有利なタイミングで電力変換装置から蓄電装置を電気的に切り離すことができる。
【図面の簡単な説明】
【０００８】
【図１】本発明の実施の形態に係る創蓄連携システムを説明するための図である。
【図２】電力変換装置の制御回路の構成例を示す図である。
【図３】制御指令装置の表示部に表示される画面と操作部の一例を示す図である。
【図４】蓄電装置に異常が発生した場合の、電力変換装置及び制御指令装置の動作例１を示すフローチャートである。
【図５】蓄電装置の停止をユーザに促すメッセージを含む画面の一例を示す図である。
【図６】蓄電装置に異常が発生した場合の、電力変換装置及び制御指令装置の動作例２を示すフローチャートである。
【図７】蓄電装置に異常が発生した場合の、電力変換装置及び制御指令装置の動作例３を示すフローチャートである。
【発明を実施するための形態】
【０００９】
図１は、本発明の実施の形態に係る創蓄連携システムを説明するための図である。創蓄連携システムは、太陽光発電装置１、蓄電装置２、電力変換装置１０及び制御指令装置２０を備える。電力変換装置１０は、太陽光発電装置１用のパワーコンディショナ機能と、蓄電装置２用のパワーコンディショナ機能を一体化させた統合型の電力変換装置であり、第１ＤＣ／ＤＣコンバータ１１、スイッチＳＷ１、第２ＤＣ／ＤＣコンバータ１２、インバータ１３及び制御回路１４を備える。
【００１０】
太陽光発電装置１は、光起電力効果を利用し、光エネルギーを直接電力に変換する発電装置である。太陽光発電装置１は、シリコン太陽電池、化合物半導体などを素材にした太陽電池、色素増感太陽電池、有機薄膜太陽電池などの太陽電池を備える。太陽光発電装置１は、電力変換装置１０の第１ＤＣ／ＤＣコンバータ１１と接続され、発電した電力を第１ＤＣ／ＤＣコンバータ１１に出力する。第１ＤＣ／ＤＣコンバータ１１は、太陽光発電装置１と直流バスＢ１との間に接続され、太陽光発電装置１から出力される直流電力の電圧を調整可能なコンバータである。第１ＤＣ／ＤＣコンバータ１１は例えば、昇圧チョッパで構成することができる。
【００１１】
蓄電装置２は、電力を充放電可能であり、蓄電部２ａ及び制御回路２ｂを備える。蓄電部２ａは、直列または直並列接続された複数のセルを含む。セルには、リチウムイオン電池セル、ニッケル水素電池セル、鉛電池セル等の電池セル、電気二重層キャパシタセル、リチウムイオンキャパシタセル等のキャパシタセルを用いることができる。以下、リチウムイオン電池セルを使用する例を想定する。
【００１２】
制御回路２ｂは、蓄電部２ａに含まれる複数のセルの電圧、電流、温度を検出する。制御回路２ｂは、検出した各セルの電圧、電流、温度を通信線６を介して、電力変換装置１０の制御回路１４に定期的に（例えば、数百ｍｓ〜数ｓ毎に）送信する。なお通信線６を設けずに、電力線通信（ＰＬＣ：Power Line Communications）を使用してもよい。
【００１３】
蓄電装置２は基本的に定置型を想定しているが、ＥＶに搭載された車載型蓄電装置であってもよい。蓄電装置２は、スイッチＳＷ１を介して電力変換装置１０の第２ＤＣ／ＤＣコンバータ１２と接続され、第２ＤＣ／ＤＣコンバータ１２により充放電制御される。第２ＤＣ／ＤＣコンバータ１２は、蓄電装置２と直流バスＢ１との間に接続され、蓄電装置２を充放電する双方向ＤＣ／ＤＣコンバータである。
【００１４】
スイッチＳＷ１には、メカリレーや半導体スイッチを使用することができる。スイッチＳＷ１がオン（クローズ）状態で蓄電装置２と電力変換装置１０間が導通し、オフ（オープン）状態で蓄電装置２と電力変換装置１０間が電気的に遮断される。
【００１５】
インバータ１３は、直流バスＢ１と分電盤４との間に接続される双方向インバータであり、直流バスＢ１から入力される直流電力を交流電力に変換し、変換した交流電力を系統３に接続された分電盤４に出力する。分電盤４には系統３、電力変換装置１０、及び負荷５が接続される。負荷５は宅内の負荷の総称である。またインバータ１３は、系統３から分電盤４を介して供給される交流電力を直流電力に変換し、変換した直流電力を直流バスＢ１に出力する。
【００１６】
制御指令装置２０は、電力変換装置１０を操作するための端末装置である。電力変換装置１０と電力変換装置１０間は有線で接続されてもよいし、無線で接続されてもよい。本実施の形態では、両者の間がＲＳ−４８５規格に準拠したケーブルで接続される例を想定する。
【００１７】
制御指令装置２０は、制御部２１、記憶部２２、通信部２３、表示部２５、及び操作部２６を備える。通信部２３は、電力変換装置１０との間の通信を実行する。本実施の形態では、制御部２１と電力変換装置１０の制御回路１４との間で、ＲＳ−４８５規格に準拠したシリアル通信を実行する。表示部２５は、液晶ディスプレイ又は有機ＥＬディスプレイを含み、制御部２１から供給される情報を画面に表示する。操作部２６は、タッチパネル及び／又は物理ボダンを含み、操作者による物理的な操作を電気的な操作信号に変換して制御部２１に出力する。
【００１８】
制御部２１は、ハードウェア資源とソフトウェア資源の協働、又はハードウェア資源のみにより実現できる。ハードウェア資源としてマイクロコンピュータ、ＲＯＭ、ＲＡＭ、その他のＬＳＩを利用できる。ソフトウェア資源として、ファームウェア等のプログラムを利用できる。記憶部２２は、不揮発性のメモリにより構成される。
【００１９】
図２は、電力変換装置１０の制御回路１４の構成例を示す図である。制御回路１４は、制御部１４ａ、記憶部１４ｂ、第１通信部１４ｃ、スイッチ駆動部１４ｄ、及び第２通信部１４ｅを備える。第１通信部１４ｃは、制御部１４ａと蓄電装置２の制御回路２ｂ間の通信を実行する。例えば、制御部１４ａと蓄電装置２の制御回路２ｂとの間で、ＲＳ−４８５規格に準拠したシリアル通信を実行する。第２通信部１４ｅは、制御指令装置２０の制御部２１との間の通信を実行する。
【００２０】
制御部１４ａは、ハードウェア資源とソフトウェア資源の協働、又はハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源として、ファームウェア等のプログラムを利用できる。記憶部１４ｂは、不揮発性のメモリにより構成される。
【００２１】
制御部１４ａは、第１ＤＣ／ＤＣコンバータ１１を制御することにより、太陽光発電装置１のＭＰＰＴ(Maximum Power Point Tracking) 制御を実行する。具体的には制御部１４ａは、太陽光発電装置１の出力電圧および出力電流である、第１ＤＣ／ＤＣコンバータ１１の入力電圧および入力電流を計測して太陽光発電装置１の発電電力を推定する。制御部１４ａは、計測した太陽光発電装置１の出力電圧と、推定した発電電力をもとに、太陽光発電装置１の発電電力を最大電力点（最適動作点）にするための電圧指令値を生成する。例えば、山登り法に従い動作点電圧を所定のステップ幅で変化させて最大電力点を探索し、最大電力点を維持するように電圧指令値を生成する。第１ＤＣ／ＤＣコンバータ１１は、生成された電圧指令値に基づく駆動信号に応じてスイッチング動作する。
【００２２】
制御部１４ａは、インバータ１３を制御することにより、直流バスＢ１の安定化制御を実行する。具体的には制御部１４ａは、直流バスＢ１の電圧を検出し、検出したバス電圧を閾値電圧に一致させるための電流指令値を生成する。制御部１４ａは、直流バスＢ１の電圧が閾値電圧より高い場合はインバータ１３のデューティ比を上げるための電流指令値を生成し、直流バスＢ１の電圧が閾値電圧より低い場合はインバータ１３のデューティ比を下げるための電流指令値を生成する。インバータ１３は出力電流を、生成された電流指令値に合わせるようにスイッチング動作する。
【００２３】
制御部１４ａは、第２ＤＣ／ＤＣコンバータ１２を制御することにより、蓄電装置２の充放電制御を実行する。第２ＤＣ／ＤＣコンバータ１２は、制御部１４ａから設定される電流指令値／電圧指令値に基づき、蓄電装置２を定電流（ＣＣ）／定電圧（ＣＶ）で充放電する。例えば、蓄電装置２を太陽光発電装置１及び／又は負荷５に追従させて運転する場合、制御部１４ａは、直流バスＢ１の電圧に応じた第２ＤＣ／ＤＣコンバータ１２の電流指令値を生成する。
【００２４】
スイッチ駆動部１４ｄは、制御部１４ａからの制御信号をもとに、スイッチＳＷ１をオン／オフさせるための駆動信号を生成する。例えば、スイッチＳＷ１がリレーで構成される場合、スイッチ駆動部１４ｄは、リレーコイルを励磁または消磁させるための駆動電流を生成して、リレーコイルに供給する。
【００２５】
図３は、制御指令装置２０の表示部２５に表示される画面と操作部２６の一例を示す図である。図３に示す画面２５ａの表示領域は、第１表示領域２５１、第２表示領域２５２、第３表示領域２５３、及び第４表示領域２５４により形成される。
【００２６】
第１表示領域２５１には、電力変換装置１０の運転状態、モード、機器接続状態アイコン、及び時刻が表示される。電力変換装置１０の運転状態には、「連系運転中」、「連系停止中」、「連系待機中」がある。「連系運転中」は、系統３と連系して運転している状態である。「連系停止中」は、太陽光発電装置１、蓄電装置２、及び系統電源の全てが停止している状態である。停止には、手動による停止、異常検出による停止が含まれる。異常検出による停止には、電力変換装置１０と制御指令装置２０間の通信異常も含まれる。「連系待機中」は、太陽光発電装置１、蓄電装置２、及び系統電源が全て待機している状態である。
【００２７】
モードには、「経済優先」、「環境優先」、「蓄電優先」、「外部制御」、「出力制御」がある。「経済優先」は、設定した充放電時間に従って運転するモードである。ピークシフト運転する際に選択されるモードであり、電気料金が安価な夜間に充電し、電気料金が高い時間帯に放電することができる。充電時間帯および放電時間帯は、ユーザが設定することができる。なお、太陽光発電装置１の発電電力を売電している期間は、蓄電池から放電することができない。「環境優先」は、昼間に太陽光発電装置１により発電された電力の余剰分を充電し、夕方や夜間に充電した電気を使用するモードである。電力会社からの買電量を減らすことができるモードである。「蓄電優先」は、蓄電装置２が常に満充電になるように、充電を優先させるモードである。充電完了後は停電に備えて待機する。
【００２８】
「外部制御」は、ＨＥＭＳコントローラ（不図示）からの指示に基づき運転しているモードである。「出力制御」は、送配電事業者サーバ（不図示）からの出力制御指令に基づき、本体が出力制御中のときのモードである。蓄電装置２の接続無効時は、基本的に第１表示領域２５１にモードが表示されないが、本体が出力制御中のときは「出力制御」が表示される。
【００２９】
第２表示領域２５２には、太陽光発電装置１の運転状態、太陽光パネルのアイコン、発電量［ｋＷ］が表示される。太陽光発電装置１の運転状態には、「発電中」、「停止中」、「待機中」がある。「発電中」は、太陽光発電装置１が発電している状態である。「停止中」は、日射の有無に関わらず発電を停止している状態である。「停止中」にはデータ未取得時、または電力変換装置１０と制御指令装置２０間の通信異常時も含まれる。「待機中」は、日射がなく発電していない状態であるが、日射があればいつでも発電可能な状態である。
【００３０】
第３表示領域２５３には、蓄電装置２の運転状態、蓄電池のアイコン、充放電量［ｋＷ］、残容量［％］が表示される。蓄電装置２の運転状態には、「充電中」、「放電中」、「停止中」、「待機中」、「未接続」がある。「充電中」は、太陽光発電装置１及び／又は系統３からの電力を貯めている状態である。「放電中」は、貯めた電力を出力している状態である。「停止中」は、充放電を停止している状態である。蓄電装置２の接続無効時は常に「停止中」が表示される。「停止中」にはデータ未取得時、または電力変換装置１０と制御指令装置２０間の通信異常時も含まれる。「待機中」は、充放電していない状態であるが、必要に応じていつでも充放電が可能な状態である。「未接続」は、蓄電装置２が未接続の状態である。
【００３１】
第４表示領域２５４には、系統電源の入出力状態が表示される。系統電源の入出力状態には、「入力中」、「出力中」、「停止中」、「待機中」がある。「入力中」は、系統３からの電力を蓄電装置２に充電している状態である。「出力中」は、太陽光発電装置１の発電電力及び／又は蓄電装置２からの放電電力を分電盤４に出力して、系統３（売電）及び／又は負荷５に電力を供給している状態である。「停止中」は、入出力を停止している状態である。「停止中」にはデータ未取得時、または電力変換装置１０と制御指令装置２０間の通信異常時も含む。「待機中」は、入出力が発生していない状態であるが、太陽光発電装置１の発電状況、充放電設定時間、負荷５の使用状況に応じていつでも入出力可能な状態である。
【００３２】
図３に示す操作部２６ａは、決定キー２６１、メニュー／戻るキー２６２、十字キー２６３を含む。これらのキーは、物理的なキーであってもよいし、タッチパネルキーであってもよい。
【００３３】
以下、蓄電装置２に異常が発生した場合について考える。蓄電装置２の異常には緊急性の高い異常と、緊急性が低い異常がある。緊急性の高い異常には、過電流、過放電、過充電、異常高温、異常低温がある。過電流はハードウェア的に保護される場合が多い。例えば、蓄電部２ａと電力変換装置１０間の電力線にヒューズを挿入し、当該電力線に過電流が流れた場合にヒューズが溶断することにより、蓄電部２ａが電力変換装置１０から遮断される。またハードウェア的に、過電流を検出してオフ（オープン）するリレーやブレーカを使用してもよい。
【００３４】
電力変換装置１０の制御部１４ａは、蓄電装置２の制御回路２ｂから通信線６を介して、蓄電部２ａに含まれる各セルの電圧、電流、温度を定期的に取得している。制御部１４ａは、取得した各セルの電圧、電流、温度をもとに各セルのＳＯＣ(State Of Charge)及びＳＯＨ(State Of Health）を推定する。ＳＯＣは、電流積算法またはＯＣＶ（Open Circuit Voltage）法により推定することができる。ＳＯＨは、初期の満充電容量に対する現在の満充電容量の比率で規定され、数値が低いほど劣化が進行していることを示す。ＳＯＨは、完全充放電による容量計測により求めてもよいし、予め実験やシミュレーションにより得られた放置劣化速度と電流劣化速度をもとに推定してもよい。放置劣化は主にＳＯＣと温度により決定され、電流劣化は主に積算電流量と温度により決定される。セルに過放電、過充電、異常高温、異常低温が発生している場合、蓄電池の劣化が加速されるため、充放電を停止させる必要がある。
【００３５】
蓄電装置２の緊急性の低い異常には、蓄電装置２の制御回路２ｂと電力変換装置１０の制御部１４ａ間の通信異常がある。当該通信異常は、通信線６の断線や、第１通信部１４ｃのソフトウェア異常などにより発生する。通信異常は、蓄電池自体に異常が発生しているわけではないので、瞬時に充放電を停止させるほどの緊急性はない。ただし、蓄電池の状態を監視することができない状態になるため、通信異常を長期間放置したまま充放電を継続することはできない。
【００３６】
図４は、蓄電装置２に異常が発生した場合の、電力変換装置１０及び制御指令装置２０の動作例１を示すフローチャートである。電力変換装置１０の制御部１４ａは、蓄電装置２の異常を検出すると（Ｓ１０のＹ）、制御指令装置２０の制御部２１に、蓄電装置２の異常検出通知を送信する（Ｓ１１）。
【００３７】
制御指令装置２０の制御部２１は、電力変換装置１０から蓄電装置２の異常検出通知を受信すると、蓄電装置２の停止をユーザに促すメッセージを表示部２５に表示させる（Ｓ２０）。なお表示部２５にメッセージを表示させるとともに、スピーカ（不図示）から、同じ内容の音声メッセージを出力させてもよい。
【００３８】
図５は、蓄電装置２の停止をユーザに促すメッセージを含む画面２５ｂの一例を示す図である。操作部２６に対してユーザにより停止操作がなされると（Ｓ２１のＹ）、制御部２１は、電力変換装置１０に蓄電装置２の解列指令を送信する（Ｓ２３）。ステップＳ２１においてユーザにより停止操作がなされない場合でも（Ｓ２１のＮ）、制御部２１は、蓄電装置２の異常検出通知を受信してから所定時間経過すると（Ｓ２２のＹ）、電力変換装置１０に蓄電装置２の解列指令を送信する（Ｓ２３）。
【００３９】
当該所定時間は、異常の内容に応じて異なる値が設定されてもよい。具体的には、緊急性が低い蓄電装置２の異常の場合における所定時間を、緊急性が高い蓄電装置２の異常の場合における所定時間より長く設定する。例えば、通信異常の場合における所定時間は２４時間に設定し、過放電、過充電、異常高温、異常低温の場合における所定時間は１〜５分に設定する。
【００４０】
蓄電池への負担が大きい異常の場合は、ユーザの操作に関わらず蓄電装置２を解列することが好ましいが、容量が小さい負荷５の使用中に、蓄電装置２の充放電が停止すると、過渡的な電流変化に伴い当該負荷５にノイズが流入する可能性がある。ユーザは、電流変化にセンシティブな負荷５を使用している場合、当該負荷５の電源をオフしてから停止操作を行うことにより、当該負荷５にノイズが流入することを防止することができる。
【００４１】
一方、通信異常の場合は緊急性が低いため、ユーザは２４時間の範囲内において任意のタイミングで蓄電装置２の停止操作を行う。例えば、経済優先モードで運転している場合、電気料金が安価な充電時間帯の経過後に蓄電装置２の停止操作を行うことができる。また、電力消費量が多い放電時間帯の経過後に蓄電装置２の停止操作を行うこともできる。
【００４２】
電力変換装置１０の制御部１４ａは、制御指令装置２０から蓄電装置２の解列指令を受信すると、スイッチ駆動部１４ｄにスイッチＳＷ１をターンオフさせて蓄電装置２を解列する（Ｓ１２）。制御部１４ａは、解列完了通知を制御指令装置２０に送信する（Ｓ１３）。制御部１４ａは、蓄電装置２を解列した後も太陽光発電装置１の運転を継続する。即ち、創蓄連携システムとしてではなく、太陽光発電システムとして運転を継続する（Ｓ１４）。制御指令装置２０の制御部２１は、電力変換装置１０から蓄電装置２の解列完了通知を受信すると、蓄電装置２の解列完了を示すメッセージを表示部２５に表示させる（Ｓ２４）。
【００４３】
図６は、蓄電装置２に異常が発生した場合の、電力変換装置１０及び制御指令装置２０の動作例２を示すフローチャートである。電力変換装置１０の制御部１４ａは、蓄電装置２の異常を検出すると（Ｓ１０のＹ）、スイッチ駆動部１４ｄにスイッチＳＷ１をターンオフさせて蓄電装置２を解列する（Ｓ１２）。制御部１４ａは、蓄電装置２を解列すると、蓄電装置２の解列完了通知を制御指令装置２０に送信する（Ｓ１３）。制御部１４ａは、蓄電装置２を解列した後も太陽光発電装置１の運転を継続する。即ち、創蓄連携システムとしてではなく、太陽光発電システムとして運転を継続する（Ｓ１４）。
【００４４】
制御指令装置２０の制御部２１は、電力変換装置１０から蓄電装置２の解列完了通知を受信すると、蓄電装置２の解列完了を示すメッセージを表示部２５に表示させる（Ｓ２４）。
【００４５】
図７は、蓄電装置２に異常が発生した場合の、電力変換装置１０及び制御指令装置２０の動作例３を示すフローチャートである。図７の動作例３に係るフローチャートは、図５の動作例１に示したフローチャートのステップＳ１０とステップＳ１１の間にステップＳ１０５が挿入されたものである。
【００４６】
電力変換装置１０の制御部１４ａは、蓄電装置２の異常を検出すると（Ｓ１０のＹ）、蓄電装置２の異常が通信異常であるか否か判定する（Ｓ１０５）。通信異常である場合（Ｓ１０５のＹ）、ステップＳ１１に遷移する。以下、図５に示した動作例１と同じ処理になる。通信異常でない場合（Ｓ１０５のＮ）、ステップＳ１２に遷移する。以下、図６に示した動作例２と同じ処理になる。
【００４７】
以上説明したように本実施の形態によれば、蓄電装置２に異常が発生した場合に、制御指令装置２０の表示部２５に、蓄電装置２の停止をユーザに促すメッセージを表示させることにより、ユーザにとって有利なタイミングで蓄電装置２を解列させることができる。特に、相対的に緊急性が低い通信異常の場合、停止操作に対する猶予期間を長く設定することにより、ユーザは経済的に有利なタイミングで蓄電装置２を解列させることができる。
【００４８】
動作例１では、蓄電装置２に相対的に緊急性が高い異常が発生した場合でも、ユーザに事前に通知することにより、ユーザが蓄電装置２の解列に備えることができる。例えば、ノイズに弱い電子機器の電源をオフすることができる。
【００４９】
動作例３では、蓄電装置２に緊急性が高い異常が発生した場合に電力変換装置１０の制御部１４ａの判断により蓄電装置２を解列し、緊急性が低い異常が発生した場合にユーザの停止操作により蓄電装置２を解列することにより、蓄電池の保護とユーザのメリットとのバランスを図ることができる。
【００５０】
また蓄電装置２を解列しても、太陽光発電装置１の運転を継続することにより、太陽光発電装置１の利用効率を向上させることができる。
【００５１】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００５２】
上述の実施の形態では、制御指令装置２０として専用の端末装置を想定したが、専用のアプリケーションプログラムがインストールされたスマートフォン端末装置を使用することも可能である。
【００５３】
なお、実施の形態は、以下の項目によって特定されてもよい。
【００５４】
［項目１］
蓄電装置（２）、太陽光発電装置（１）、及び電力系統（３）に接続された電力変換装置（１０）と通信する通信部（２３）と、
前記電力変換装置（１０）から前記蓄電装置（２）の異常検出通知を受信した場合に、前記蓄電装置（２）の異常をユーザに報知する報知部（２５）と、
ユーザの操作を受け付ける操作部（２６）と、
前記操作部（２６）が前記蓄電装置（２）の停止操作を受け付けると、前記電力変換装置（１０）から前記蓄電装置（２）を電気的に切り離す指令を前記電力変換装置（１０）に送信するよう制御する制御部（２１）と、を備える、
制御指令システム（２０）。
これによれば、蓄電装置（２）に異常が発生した場合に、ユーザにとって有利なタイミングで蓄電装置（２）を電力変換装置（１０）から切り離すことができる。
［項目２］
前記蓄電装置（２）の異常は、前記蓄電装置（２）と前記電力変換装置（１０）との間の通信異常である、
項目１に記載の制御指令システム（２０）。
これによれば、ユーザが経済的に有利なタイミングで蓄電装置（２）を切り離すことができる。
［項目３］
前記制御部（２１）は、前記電力変換装置（１０）から前記蓄電装置（２）の異常検出通知を受信してから所定の時間が経過すると、前記操作部（２６）が前記蓄電装置（２）の停止操作を受け付けなくても、前記指令を前記電力変換装置（１０）に送信するよう制御する、
項目１に記載の制御指令システム（２０）。
これによれば、蓄電装置（２）の安全性を確保することができる。
［項目４］
蓄電装置（２）、太陽光発電装置（１）、及び電力系統（３）に接続された電力変換装置（１０）であって、
制御指令システム（２０）と通信する通信部（１４ｅ）と、
前記蓄電装置（２）の異常を検出した場合に、前記蓄電装置（２）の異常検出通知を前記制御指令システム（２０）に送信するよう制御するとともに、本電力変換装置（１０）から前記蓄電装置（２）を電気的に切り離す制御を実行する制御部（１４ａ）と、を備える、
電力変換装置（１０）。
これによれば、蓄電装置（２）を解列したことを速やかにユーザに伝えることができる。
［項目５］
前記制御部（１４ａ）は、本電力変換装置（１０）から前記蓄電装置（２）を電気的に切り離しても、前記太陽光発電装置（１）を利用した運転を実行可能な状態に制御する、
項目４に記載の電力変換装置（１０）。
これによれば、太陽光発電装置（１）を有効活用することができる。
【００５５】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【符号の説明】
【００５６】
１  太陽光発電装置、  ２  蓄電装置、  ２ａ  蓄電部、  ２ｂ  制御回路、  ３  系統、  ４  分電盤、  ５  負荷、  ６  通信線、  １０  電力変換装置、  １１  第１ＤＣ／ＤＣコンバータ、  １２  第２ＤＣ／ＤＣコンバータ、  １３  インバータ、  １４  制御回路、  １４ａ  制御部、  １４ｂ  記憶部、  １４ｃ  第１通信部、  １４ｄ  スイッチ駆動部、  １４ｅ  第２通信部、  ２０  制御指令装置、  ２１  制御部、  ２２  記憶部、  ２３  通信部、  ２５  表示部、  ２６  操作部、  Ｂ１  直流バス、  ＳＷ１  スイッチ。
【図１】
2019118212.tif 000003
【図２】
2019118212.tif 000004
【図３】
2019118212.tif 000005
【図４】
2019118212.tif 000006
【図５】
2019118212.tif 000007
【図６】
2019118212.tif 000008
【図７】
2019118212.tif 000009